(57)【要約】【課題】付加装置を用いずに、かつ作業効率を低下させることなく原稿を載置するときの操作性を向上させる。【解決手段】原稿が静止したことが判定されると自動的に原稿の読み取りを開始する「原稿自動読取開始」モードを選択することにより、ＣＣＤラインセンサが原稿静止判別領域に載置された原稿の位置を検出する。検出された結果を、１つ前に検出した検出結果と比較し、差分が所定の範囲以内であれば原稿の位置が一致していると判定し、原稿の検出と比較とを繰り返す。複数回に渡り連続して原稿の位置が一致していると判定されると、原稿が静止していると判定し、原稿全体の読み取りが開始される。【選択図】図９
2008199350.tif 000002
【特許請求の範囲】
【請求項１】
原稿台に載置した原稿と、主走査方向に配列された撮像素子ユニットとを、前記主走査方向に対して交差する方向である副走査方向へ相対移動させることで前記原稿を読み取る原稿読取機構部を始動させる始動操作部と、
前記始動操作部により始動操作があった場合に、前記原稿が載置された領域の一部での原稿読取動作を複数回繰り返し、前記原稿の位置を検出する原稿位置検出手段と、
繰り返し検出される原稿位置検出結果同士を比較する検出結果比較手段と、
前記検出結果比較手段による比較結果に基づいて、原稿静止と判定された場合に、前記原稿読取機構部による前記原稿全体の読み取り動作の開始を指示する読取開始指示手段と、
を有する画像読取装置。
【請求項２】
原稿台に載置した原稿と、主走査方向に配列された撮像素子ユニットとを、前記主走査方向に対して交差する副走査方向へ相対移動させることで前記原稿を読み取る原稿読取機構部を始動させる始動操作部と、
前記始動操作部が操作されたときに無条件で前記原稿読取機構部による前記原稿全体の読み取り動作の開始を指示する第１のモード、並びに前記始動操作部が指示されたときに原稿の位置の確認を実行する第２のモードのいずれかを選択する選択手段と、
前記始動操作部により始動操作があり、かつ前記選択手段で前記第２のモードが選択されている場合に、前記原稿が載置された領域の一部での原稿読取動作を複数回繰り返し、前記原稿の位置を検出する原稿位置検出手段と、
繰り返し検出される原稿位置検出結果同士を比較する検出結果比較手段と、
前記検出結果比較手段による比較結果に基づいて、原稿静止と判定された場合に、前記原稿読取機構部による前記原稿全体の読み取り動作の開始を指示する読取開始指示手段と、
を有する画像読取装置。
【請求項３】
前記検出結果比較手段に基づく判定が、前回の原稿位置と今回の原稿位置とが一致した回数が連続して所定回数となった時点で原稿静止と判定することを特徴とする請求項１又は請求項２記載の画像読取装置。
【請求項４】
前記原稿位置検出手段での原稿読取領域が、前記読取機構部を本来の原稿読取開始位置から前記副走査方向に所定量移動した位置まで、前記原稿の角部の位置を検出することを特徴とする請求項１乃至請求項３記載の画像読取装置。
【請求項５】
前記原稿位置検出手段が、前記原稿位置検出手段の移動範囲、移動速度、所定量移動した位置の少なくとも１つを設定変更する設定変更手段を備えることを特徴とする請求項１乃至請求項４記載の画像読取装置。
【発明の詳細な説明】
【技術分野】
【０００１】
本発明は、画像形成装置に用いられる画像読取装置に関するものである。
【背景技術】
【０００２】
従来、複写機能を備えた画像形成装置は、一般的に、その上面に原稿を読み取る原稿読取部とユーザインタフェイス部とが設けられている。
【０００３】
このような画像形成装置において、見開きの製本等、片手もしくは両手で押し付けることが必要な原稿を複写する場合に複写指示操作（スタートボタンの操作）がしづらいことがある。すなわち、上記製本原稿を複写するには、見開きの中央部が原稿台から浮き上がってしまうため、片手もしくは両手で原稿の浮き上がった部分を原稿台に押し付けて密着させる必要がある。特に厚手の製本原稿を複写する際には、押し付ける力が強くなり、両手を使わざるを得ない場合が多い。その場合、原稿を原稿台に載せた後、原稿から離れた位置にあるスタートボタンをすばやく押して再び原稿を押し付けるという動作が必要となり、操作性がよくない。更に、操作が間に合わないと原稿位置がずれてしまい、位置がずれたまま複写されてしまうことがあった。これを解決する手段として、足で操作するフットスイッチを設ける方法が知られている。しかし、この方法では部品点数が増加することが避けられない。また、使用しないときは邪魔となることがある。
【０００４】
そこで、特許文献１には、スタートボタンに遅延時間を設けることを特徴とする原稿読取装置について記載されている。この原稿読取装置によると、スタートボタンを押してもすぐに原稿の読み取りが開始されず、原稿を押し付けるのに時間的な余裕ができ、操作性が向上する。
【特許文献１】特開平０６−０６７３１４号公報
【発明の開示】
【発明が解決しようとする課題】
【０００５】
しかしながら、特許文献１では、操作する人、あるいは片手もしくは両手で押し付けることが必要な原稿の種類（厚さ、大きさ、製本方法等）によっては、原稿を押し付けて静止させるまでの時間が異なり、全てをカバーするためには遅延時間を長く設定しなれければならない。場合によっては原稿を原稿台に載せる度に無駄な待ち時間が発生してしまうことがある。
【０００６】
本発明は上記事実を考慮し、付加装置を用いずに、かつ作業効率を低下させることなく原稿を原稿台に載せるときの操作性を向上させる画像読取装置を得ることを目的としている。
【課題を解決するための手段】
【０００７】
第１の発明は、原稿台に載置した原稿と、主走査方向に配列された撮像素子ユニットとを、前記主走査方向に対して交差する方向である副走査方向へ相対移動させることで前記原稿を読み取る原稿読取機構部を始動させる始動操作部と、前記始動操作部により始動操作があった場合に、前記原稿が載置された領域の一部での原稿読取動作を複数回繰り返し、前記原稿の位置を検出する原稿位置検出手段と、繰り返し検出される原稿位置検出結果同士を比較する検出結果比較手段と、前記検出結果比較手段による比較結果に基づいて、原稿静止と判定された場合に、前記原稿読取機構部による前記原稿全体の読み取り動作の開始を指示する読取開始指示手段と、を有している。
【０００８】
第１の発明によれば、原稿台に載置された原稿の位置を複数回繰り返し検出する。原稿の位置が変化せず、静止していると判定されると、読取開始指示手段により原稿全体の読み取り動作が開始される。このように、原稿の静止状態を判定するために、原稿の位置がずれた状態での読み取り動作を回避することができる。
【０００９】
第２の発明は、原稿台に載置した原稿と、主走査方向に配列された撮像素子ユニットとを、前記主走査方向に対して交差する副走査方向へ相対移動させることで前記原稿を読み取る原稿読取機構部を始動させる始動操作部と、前記始動操作部が操作されたときに無条件で前記原稿読取機構部による前記原稿全体の読み取り動作の開始を指示する第１のモード、並びに前記始動操作部が指示されたときに原稿の位置の確認を実行する第２のモードのいずれかを選択する選択手段と、前記始動操作部により始動操作があり、かつ前記選択手段で前記第２のモードが選択されている場合に、前記原稿が載置された領域の一部での原稿読取動作を複数回繰り返し、前記原稿の位置を検出する原稿位置検出手段と、繰り返し検出される原稿位置検出結果同士を比較する検出結果比較手段と、前記検出結果比較手段による比較結果に基づいて、原稿静止と判定された場合に、前記原稿読取機構部による前記原稿全体の読み取り動作の開始を指示する読取開始指示手段と、を有している。
【００１０】
第２の発明によれば、無条件で原稿読取機構部による読み取り動作が開始される第１のモードと、原稿が静止していることを確認した後に原稿読取機構部による読み取り動作が開始される第２のモードとを備えているため、新たな画像読取装置を必要とせず、同一の画像読取装置を用いて、必要に応じて選択することができるため操作性が向上する。
【００１１】
また、上記第１又は第２の発明において、前記検出結果比較手段に基づく判定が、前回の原稿位置と今回の原稿位置とが一致した回数が連続して所定回数となった時点で原稿静止と判定することを特徴としている。
【００１２】
原稿位置の一致の判定が、連続して所定回数となった時点とすることにより、無駄なく確実に原稿の静止状態を検出することができる。
【００１３】
さらに、上記第１又は第２の発明において、前記原稿位置検出手段での原稿読取領域が、前記読取機構部を本来の原稿読取開始位置から前記副走査方向に所定量移動した位置まで、前記原稿の角部の位置を検出することを特徴としている。
【００１４】
読取機構部を所定量移動した位置を起点とすることにより、読取開始位置に原稿を確実に載置する必要がなく、所定量の範囲内に載置されればよい。また、原稿の角部を検出することにより、原稿の縦方向や横方向の位置のずれを検出することができる。
【００１５】
また、上記第１又は第２の発明において、前記原稿位置検出手段が、前記原稿位置検出手段の移動範囲、移動速度、所定量移動した位置の少なくとも１つを設定変更する設定変更手段を備えることを特徴としている。
【００１６】
使用状況に応じて設定変更することにより、原稿が静止していることを検出する検出時間を短縮することができる。
【発明の効果】
【００１７】
以上説明した如く本発明では、付加装置を用いずに、かつ作業効率を低下させることなく原稿を原稿台に載せるときの操作性を向上させることができるという優れた効果を有する。
【発明を実施するための最良の形態】
【００１８】
（画像形成装置の概略構成）
図１には、本実施の形態に係る画像形成装置１０の概要が示されている。画像形成装置１０には、印刷部１２、この印刷部１２の上方に設けられた原稿読取部１４とで構成されている。原稿読取部１４には、当該原稿読取部１４の開閉蓋を兼用する原稿搬送装置１６が設けられている。
【００１９】
原稿読取部１４には、その上面に原稿を載せるための透明のガラス板で形成されたプラテンガラス１８（図２参照）が設置され、原稿読取領域となっている。また原稿読取部１４には、ユーザが原稿読取、或いは複写指示等を入力操作するためのユーザインタフェイス２４が配設されている。なお、この原稿読取部１４については後述する。
【００２０】
原稿搬送装置１６には、複写しようとする原稿を（複数枚の場合は重ねて）載せるフィーダートレイ２０が設けられている。この原稿搬送装置１６では、フィーダートレイ２０上に載せられた原稿（複数枚重ねられている場合は、その最上層の原稿）を、原稿反転ユニット（図示省略）へ送り込むことで、反転しながらプラテンガラス１８（図２参照）上の読取領域を通過させ、フィーダートレイ２０の下部に設けられた原稿排紙トレイ２２上に排出されるように自動搬送して原稿読取動作を実行する。
【００２１】
印刷部１２には、装置本体下部に３段に渡って配置された給紙トレイ２６が設けられ、サイズが指定されることで、選択的に給紙トレイ２６から記録シートが給紙装置によって１枚ずつ引き出され、プリントエンジン部（図示省略）に搬送されるようになっている。
【００２２】
プリントエンジン部には、シート材に画像を形成（情報転写）する感光体ドラムが配設されている。なお、図示は省略したが、感光体ドラムの周囲には、帯電装置、光走査装置、現像装置、転写装置等が配設されている。感光体ドラムの周面は、一様に帯電された後、光走査装置によって画像データに基づく静電潜像が形成され、形成された静電潜像を現像装置によってトナー現像する。その後、転写装置を通過することで、感光体ドラム上のトナー画像がシート材に転写する構成となっている。画像が転写されたシート材は定着装置によって加熱、加圧処理され、画像が定着された状態で排出されるようになっている。
【００２３】
（原稿読取部１４の概略説明）
図２は、前述した開閉蓋を兼用する原稿搬送装置１６を開放したときの原稿読取部１４の上面図であり、原稿読取部１４の上面には原稿を載せるための透明のガラス板で形成されたプラテンガラス１８が設置されている。
【００２４】
原稿搬送装置１６にあるフィーダートレイ２０を用いて複写することができない製本原稿等を直接プラテンガラス１８に載せて複写する場合は、原稿搬送装置１６を開放する。
【００２５】
プラテンガラス１８の周囲には、原稿セットガイド２８が設けられる。原稿セットガイド２８は、プラテンガラス１８より僅かな凸状の段差となっている。原稿セットガイド２８の段差に接するように原稿の角部を合わせることにより、容易に原稿の角部をプラテンガラス１８の角部に接して、原稿を載せることができる。
【００２６】
原稿読取部１４には、ユーザインタフェイス２４が配設されている。図３に示すように、ユーザインタフェイス２４は、表示部２４Ａと入力部２４Ｃとを備える。入力部２４Ｃは、テンキー等の入力ボタンと、複写指示を操作するためのスタートボタン２４Ｂとを備える。表示部２４Ａには、複写枚数や処理状況等の情報が表示されるほか、原稿の読み取りのモードを切替えるためのモード切替を設定することができる。
【００２７】
見開きの製本原稿等を複写する場合は、プラテンガラス１８に原稿を載せただけでは原稿が浮き上がってしまうことがあり、浮き上がりを防ぐために、片手もしくは両手で原稿を押し付ける必要がある。そこで、図３に示すように、表示部２４Ａで原稿が静止していることを判定して原稿全体の読み取りが開始される「原稿自動読み取り開始」モードを選択する。
【００２８】
スタートボタン２４Ｂを操作することにより原稿の読み取り指示があると、「原稿自動読み取り開始」モードの場合は原稿が静止していることを判定してから、通常は直ちに原稿全体の読み取りが開始され、読み取った原稿画像の出力信号（画像データ）が印刷部１２（図１参照）へ送出される。
【００２９】
図４は、原稿読取部１４の概略構成図である。
【００３０】
図４に示すように、原稿読取部１４の外観は、プラテンガラス１８と、このプラテンガラス１８上に載せられる原稿３０を、プラテンガラス１８に押し付けて保持するための開閉蓋を兼用する原稿搬送装置１６とで構成されている。
【００３１】
また、プラテンガラス１８の下部の装置内空間部には、走査ユニット３２が配設されている。
【００３２】
走査ユニット３２は、画像形成装置１０の正面から奥側に沿って長手（主走査方向）となる棒状の光源３４と第１のミラー３６を備えた第１の走査ユニット３８と、入射する光を９０度ずつ屈曲させる一対の第２のミラー４０を備えた第２の走査ユニット４２と、を備え、第１の走査ユニット３８と第２の走査ユニット４２とが前記走査方向と直交する方向（副走査方向）に移動することで、原稿に記録された画像をライン上に照射し、この照射領域の画像濃度を、光学系４４を介してＣＣＤラインセンサ４６で受光する構造となっている。
【００３３】
なお、ＣＣＤラインセンサ４６は、コントロールユニット４８に接続され、光電変換された画像濃度に応じた電気信号は、このコントロールユニット４８へ送出される。
【００３４】
本実施の形態では、所定範囲を光源３４と第１のミラー３６とを備えた第１の走査ユニット３８が副走査方向に往復移動しながら原稿３０を照射し、一対の第２のミラー４０を備えた第２の走査ユニット４２、光学系４４を介して画像濃度をＣＣＤラインセンサ４６で受光することで原稿が載せられている位置を検出する。
【００３５】
図５は、本実施の形態の画像形成装置１０における印刷部１２及び画像読取部１４の駆動を制御するためのコントロールユニット４８の制御ブロック図を示している。
【００３６】
バス５０には、ＣＰＵ５２、ＲＡＭ５４、ＲＯＭ５６が接続されている。また、バス５０にユーザインタフェイス（ＵＩ）２４が接続され、ホストＩ／Ｆ（インタフェイス）５８を介してホストＰＣ６０が接続されている。
【００３７】
さらに、画像出力装置Ｉ／Ｆ（インタフェイス）６２には印刷部１２が接続され、画像読取装置Ｉ／Ｆ（インタフェイス）６４には、原稿読取部１４が接続されている。
【００３８】
ここで、本実施の形態のユーザインタフェイス２４は、片手もしくは両手で原稿を押し付けることが必要な製本等の原稿を複写するときに、図３に示すように、原稿が静止したことを判定して自動的に原稿の読み取りを開始する「原稿自動読み取り開始」モードを有している。
【００３９】
図６は、「原稿自動読み取り開始」モードでの、原稿静止を判定するための機能ブロック図である。なお、図６は、コントロールユニット４８における原稿の静止状態を判定するための機能をブロック化したものであり、ハード構成を限定するものではない。例えば、コントロールユニット４８が１チップでソフトウェア的に処理する構成であってもよい。
【００４０】
図６に示すように、ユーザインタフェイス（ＵＩ）２４は、指示解析部６２に接続している。ユーザインタフェイス（ＵＩ）２４で設定された複写設定情報は、指示解析部６２へ送出する。
【００４１】
指示解析部６２は、モード情報設定部６４と、原稿読取制御部６６とに接続している。指示解析部６２では、ユーザインタフェイス（ＵＩ）２４で設定された複写設定情報を解析する。ユーザインタフェイス（ＵＩ）２４で入力された複写設定情報に、印刷枚数の設定、印刷方法の設定、モード切替（図３参照）によるモード設定情報等が含まれているかを解析し、モード設定情報はモード情報設定部６４へ送出する。モード設定情報以外の複写設定情報は、原稿読取制御部６６へ送出する。
【００４２】
モード情報設定部６４は、原稿読取制御部６６に接続している。モード情報設定部６４では、指示解析部６２から送出されるモード設定情報を原稿読取制御部６６へ送出する。
【００４３】
原稿読取制御部６６は、原稿読取部１４と原稿静止状態検出制御部６８とに接続している。原稿読取制御部６６では、モード情報設定部６４で設定されたモード設定情報が「通常」モードの場合は、原稿読取指示信号を原稿読取部１４へ送出する。モード設定情報が「原稿自動読み取り開始」モードの場合は、原稿静止状態検出指示信号を原稿静止状態検出制御部６８へ送出する。
【００４４】
ＣＣＤラインセンサ４６は、原稿静止状態検出制御部６８に接続している。ＣＣＤラインセンサ４６は、原稿３０の位置の検出結果を原稿静止状態検出制御部６８へ送出する。原稿３０を検出する場合、光源３４と第１のミラー３６を備えた第１の走査ユニット３８が副走査方向に移動することにより、第２の走査ユニット４２、光学系４４を介して原稿から反射される画像濃度をＣＣＤラインセンサ４６が受光する。ＣＣＤラインセンサ４６は固定となっており移動するわけではないが、ＣＣＤラインセンサ４６が原稿３０の画像濃度を受光して、画像濃度に応じた電気信号を送出するために、ここでは便宜上、ＣＣＤラインセンサ４６が移動して原稿３０を検出するものとして説明する。
【００４５】
原稿静止状態検出制御部６８は、検出回数カウント部７２、検出結果メモリ７４、比較部７６、一致回数カウント部７８に接続している。原稿静止状態検出制御部６８では、ＣＣＤラインセンサ４６の動作を制御すると共に、ＣＣＤラインセンサ４６から送出される検出結果を受信する。ＣＣＤラインセンサ４６の動作制御のための設定値（移動速度、動作間隔、検出範囲等）と、一致回数カウント部７８の基準値（Ｍ）とは、内蔵されたメモリに予め記憶されている。この設定値は、例えば、工場出荷時やサービスマンによるメンテナンス時等にメモリを書き換えることにより設定可能となっている。
【００４６】
ＣＣＤラインセンサ４６の制御としては、まず、ＣＣＤラインセンサ４６を図２に示すように原稿セットガイド２８から副走査方向の所定の位置に移動させて初期化する。具体的には、光源３４と第１のミラー３６を備える第１の走査ユニット３８を移動させる。光源３４からの反射光を受ける第１のミラー３６の反射光が当たる位置が原稿読取位置Ｒとなる。原稿セットガイド２８から副走査方向の所定の位置へ移動した初期化位置で、ＣＣＤラインセンサ４６の原稿セットガイド２８から所定の長さの検出範囲が、原稿静止判別領域８０となる。
【００４７】
原稿静止状態検出制御部６８は、初期化位置にあるＣＣＤラインセンサ４６が原稿静止判別領域８０内に原稿３０が載せられたことを検出すると、ＣＣＤラインセンサ４６を初期化位置から原稿セットガイドまで移動しながら原稿静止判別領域８０内の原稿３０を検出するように制御する。原稿静止状態検出制御部６８は、ＣＣＤラインセンサ４６から送出される原稿静止判別領域８０の検出結果を検出結果メモリ７４に格納する。さらに、原稿静止判別領域８０内をＣＣＤラインセンサ４６で検出した回数を１回とし、検出回数カウント部７２でカウントする。
【００４８】
原稿静止状態検出制御部６８は、次に、所定時間経過後、ＣＣＤラインセンサ４６を原稿セットガイド２８の位置から初期化位置まで移動させながら原稿静止判別領域８０を検出するように制御する。
【００４９】
原稿静止検出制御部６８は、ＣＣＤラインセンサ４６を、原稿静止判別領域８０内を繰り返し往復移動しながら検出し、検出回数を検出回数カウント部７２でカウントして、ＣＣＤラインセンサ４６から送出される検出結果情報を検出結果メモリ７４に格納するように制御する。
【００５０】
更に、原稿静止状態検出制御部６８は、検出回数カウント部７２のカウントが２以上の場合は、検出回数カウント部７２のカウント値がｎの検出結果を比較部７６に送出し、検出結果メモリ７４に、格納されている前回の検出結果である検出回数カウント部７２のカウント値がｎ−１の検出結果を比較部７６に送出させる。
【００５１】
比較部７６は、一致回数カウント部７８に接続されている。比較部７６は、原稿静止状態検出制御部６８から送出される検出回数カウント部７２のカウント値がｎの検出結果と、検出結果メモリ７４から送出される検出回数カウント部７２のカウント値がｎ−１の検出結果とを比較し、差分が所定の範囲以下またはゼロの場合に原稿が載せられた位置が一致したと判定し、一致回数を一致回数カウント部７８でカウントする。比較部７６は、一致回数カウント部７８でのカウントが、原稿位置の一致判定が連続した回数となるように、位置が一致したと判定されない場合はカウント数をリセットする。
【００５２】
一致回数カウント部７８は、一致回数を原稿静止状態検出部６８へ送出する。
【００５３】
原稿静止状態検出部６８では、一致回数カウント部７８から送出される一致回数が所定の回数（基準値（Ｍ））になった場合、つまり、所定回数連続して同じ位置に原稿がある検出結果となった場合に原稿静止と判定し、原稿読取制御部６６へ原稿読取指示信号を送出する。原稿読取制御部６６では、「通常」モードでの原稿の読み取りと同様に、原稿読取指示信号を原稿読取部１４へ送出することにより、原稿全体の読み取りが開始される。
【００５４】
以下に本実施の形態の作用を説明する。
【００５５】
原稿搬送装置１６を用いて原稿３０を複写する場合、フィーダートレイ２０上に原稿３０を載せて（複数枚の場合は重ねて）、原稿読取指示操作（スタートボタン２４Ｂの操作）することにより、原稿３０の読み取りが開始される。
【００５６】
原稿搬送装置１６を用いることができない製本原稿等を複写する場合は、原稿搬送装置１６を開放し、プラテンガラス１８上に製本原稿等を見開き、原稿セットガイド２８に接するように載せてスタートボタン２４Ｂを操作する。このとき、ユーザインタフェイス２４の表示部２４Ａで、原稿が静止したことを判定して自動的に原稿の読み取りを開始する「原稿自動読み取り開始」モードを設定した場合は、原稿３０が静止したことを判定し、原稿全体の読み取りが開始される。
【００５７】
図７と図８とは、「原稿自動読み取り開始」モードを選択した場合の、原稿３０の静止を判定する概念図である。
【００５８】
図９は、「原稿自動読み取り開始」モードが選択され、原稿３０が静止していることを判定するためのフローチャートである。
【００５９】
ステップ１００では、一致回数カウント部７８でカウントする原稿３０が静止しているとみなす一致回数の基準値（Ｍ）を５に設定する。この基準値（Ｍ）は、多すぎると原稿３０の静止状態を判定するのに時間が掛かりすぎ、少なすぎると正しく静止状態を判定できない。そこで、ＣＣＤラインセンサ４６の移動速度等や使用状況に応じ、適宜基準値を設定することができる。
【００６０】
ステップ１０２では、図７の（Ａ１）に示すように、ＣＣＤラインセンサ４６を原稿静止判別領域８０の原稿セットガイド２８に対向する位置へ移動させて初期化する。ステップ１０２でＣＣＤラインセンサ４６の位置を初期化して、ステップ１０４へ移行する。
【００６１】
ステップ１０４では、検出回数カウント部７２のカウント値ｎを「０」で初期化する。検出回数カウント部７２のカウント値ｎを初期化することにより、原稿３０の位置を検出した検出回数をカウントすることができる。ステップ１０４で検出回数カウント部７２のカウント値ｎを初期化して、ステップ１０６へ移行する。
【００６２】
ステップ１０６では、ＣＣＤラインセンサ４６が初期化位置において原稿３０の有無を検出し、ステップ１０８へ移行する。
【００６３】
原稿３０が原稿静止判別領域８０上に載せられていない場合は、ＣＣＤラインセンサ４６は原稿３０を検出しないために、図７の（Ａ２）に示すように、検出結果は得られない。しかし、図７の（Ｂ１）に示すように、原稿静止判別領域８０上に原稿３０が載せられると、原稿３０が載せられた部分は光源３４からの反射があるために、検出結果が図７の（Ｂ２）に示すような検出結果となり、原稿３０が有ると判定される。
【００６４】
ステップ１０８で原稿３０が無いと否定判定されると、ステップ１０６へ移行し、原稿３０の検出を繰り返す。ステップ１０８で原稿が有ると肯定判定されると、ステップ１１０へ移行する。
【００６５】
ステップ１１０では、一致回数カウント部７８のカウント値ｍを「０」で初期化する。一致回数カウント部７８のカウント値ｍは、原稿位置の連続一致回数をカウントする。ステップ１１０で一致回数カウント部７８のカウント値ｍを初期化して、ステップ１１２へ移行する。
【００６６】
ステップ１１２では、検出回数カウント部７２のカウント値ｎを増分「１」でインクリメントし、ステップ１１４へ移行する。
【００６７】
ステップ１１４では、原稿静止判別領域８０をＣＣＤラインセンサ４６で検出する。ＣＣＤラインセンサ４６は、図８（Ａ１）に示すように、ＣＣＤラインセンサ４６の初期化位置から、原稿セットガイド２８の方向に原稿静止判別領域８０を検出する。所定の初期化位置から、原稿セットガイド２８のある原稿静止判別領域８０をＣＣＤラインセンサ４６で検出することにより、原稿３０の角部を検出できる。検出結果は、図８の（Ａ２）に示すようになる。原稿静止判別領域８０を検出し、ステップ１１６へ移行する。
【００６８】
ステップ１１６では、ステップ１１４で検出した検出結果（図８の（Ａ２））を検出結果メモリ７４に格納し、ステップ１１８へ移行する。
【００６９】
ステップ１１８では、検出回数カウント部７２のカウント値ｎが２以上であるか否かが判定される。これは、原稿３０の位置状態を判定するために、現在検出した検出結果（検出回数カウント部７２のカウント値ｎ）と、前回の検出結果（検出回数カウント部７２のカウント値ｎ−１）とを比較することにより、原稿３０が前回と同様の位置にあるかを比較できる回数だけ検出したか否かが判定される。ステップ１１８で否定判定、つまり、比較できない（１回目の検出）と判定されるとステップ１１２へ移行する。ステップ１１８で検出回数カウント部７２のカウンタ値が２以上であると肯定判定されるとステップ１２０へ移行する。
【００７０】
ステップ１１８で否定判定されると、ステップ１１２で検出回数カウント部７２（ｎ）を増分「１」でインクリメント（ｎ＝２）し、ステップ１１４で図８の（Ｂ１）に示すように、原稿読取開始位置からＣＣＤラインセンサ４６の初期化位置まで移動しながら原稿静止判別領域８０を検出する。
【００７１】
原稿静止判別領域８０をＣＣＤラインセンサ４６が移動する間に、図８の（Ｂ１）に示すように原稿３０の載せられた位置が鎖線の原稿３０の位置から実線の原稿３０にずれる場合がある。このとき、ＣＣＤラインセンサ４６の移動速度によっては図８の（Ｂ２）に示すような検出結果が得られる。検出結果を、ステップ１１６で検出結果メモリ７４に格納し、ステップ１１８で検出回数カウント部７２のカウント値ｎは２であるので、肯定判定され、ステップ１２０へ移行する。
【００７２】
ステップ１２０では、現在（検出回数カウント部７２のカウント値ｎ）の検出結果と、前回（検出回数カウント部７２のカウント値ｎ−１）の検出結果とを比較する。比較した結果が同一と判定されるとステップ１２２へ移行し、同一ではないと否定判定されるとステップ１１０へ移行する。
【００７３】
図８の場合、検出回数カウント部７２（ｎ＝２）である図８の（Ｂ２）の検出結果と、検出回数カウント部７２（ｎ＝１）である図８の（Ａ２）の検出結果とを比較した結果は、同一ではないため、ステップ１１０へ移行する。
【００７４】
ステップ１１０では、一致回数カウント部７８のカウント値ｍを「０」で初期化することにより、検出回数カウント部７２のカウント値ｎの検出結果と、検出回数カウント部７２のカウント値ｎ−１との検出結果とが同一であった連続回数をカウントすることができる。
【００７５】
ステップ１２０で、否定判定されると、ステップ１１０からステップ１２０を繰り返す。
【００７６】
図８の場合、ステップ１１０からステップ１２０を繰り返すことにより、図８の（Ｃ１）の検出による検出結果である図８の（Ｃ１）と図８の（Ｄ１）検出による検出結果である図８の（Ｄ２）とは、検出結果が同一となり、ステップ１２０で肯定判定される。ステップ１２０で肯定判定されると、ステップ１２２へ移行する。
【００７７】
ステップ１２２では、一致回数カウント部７８のカウント値ｍを増分「１」でインクリメントし、ステップ１２４へ移行する。
【００７８】
ステップ１２４では、ステップ１００で設定した一致回数カウント部７８のカウント値ｍでカウントする原稿３０が静止しているとみなす一致回数の基準値（Ｍ）と比較する。ステップ１２４で、基準値（Ｍ）と同一でないと否定判定されるとステップ１１２へ移行する。
【００７９】
ステップ１２４で、一致回数カウント部７８（ｍ）のカウント値が、一致回数の基準値（Ｍ）と一致するまで図８の（Ｄ１）の検出による検出結果である図８の（Ｄ２）と、図８の（Ｅ１）の検出による検出結果である図８の（Ｅ２）のようにステップ１１０からステップ１２４までを繰り返す。
【００８０】
一致回数カウント部７８のカウント値ｍが、一致回数の基準値（Ｍ）と一致し、肯定判定されると、原稿３０は静止していると判定され、このルーチンは終了する。このルーチンが終了後、原稿３０全体の画像読み取りを開始する。
【００８１】
なお、原稿静止判別領域８０は原稿セットガイド２８から所定の範囲としたが、これに限ったものではない。原稿静止判別領域８０は、原稿読取領域のどこに設定してもよく、原稿３０の少なくとも１つの角部、または原稿３０全体を検出することにより、原稿３０が静止していることが判定できればよい。
【００８２】
さらに、ＣＣＤラインセンサ４６を用いて原稿３０の位置を検出したが、これに限ったものではない。原稿３０の位置を検出するための位置検出センサを新たに設けてもよい。
【図面の簡単な説明】
【００８３】
【図１】本実施の形態に係る画像形成装置を示す側面図である。
【図２】本実施の形態に係る開閉蓋を開放した原稿読取部の上面図である。
【図３】本実施の形態に係るユーザインタフェイス部の概略図である。
【図４】本実施の形態に係る原稿読取部の概略構成図である。
【図５】画像形成装置のコントロールユニットの制御ブロック図である。
【図６】本実施の形態に係る原稿の静止状態を判断するための制御を機能的に示した機能ブロック図である。
【図７】本実施の形態に係る、「原稿自動読み取り開始」モードを選択した場合の、原稿の載置を判断する概念図である。
【図８】本実施の形態に係る、「原稿自動読み取り開始」モードを選択した場合の、原稿の静止を判断する概念図である。
【図９】本実施の形態に係る原稿の静止状態の判断の流れを示すフローチャートである。
【符号の説明】
【００８４】
１０  画像形成装置
１８  プラテンガラス（原稿台）
２４Ａ  表示部（選択手段）
２４Ｂ  スタートボタン（始動操作部）
３０  原稿
３２  走査ユニット（原稿読取機構部）
４６  ＣＣＤラインセンサ（撮像素子ユニット、原稿位置検出手段）
６６  原稿読取制御部（読取開始指示手段）
６８  原稿静止状態検出制御部（原稿静止判定手段）
７４  検出結果メモリ（検出結果格納手段）
７６  比較部（検出結果比較手段）
【図１】
2008199350.tif 000003
【図２】
2008199350.tif 000004
【図３】
2008199350.tif 000005
【図４】
2008199350.tif 000006
【図５】
2008199350.tif 000007
【図６】
2008199350.tif 000008
【図７】
2008199350.tif 000009
【図８】
2008199350.tif 000010
【図９】
2008199350.tif 000011